(57)【要約】【課題】光コネクタから放光させる対照光の視認性を向上でき、心線対照を確実かつ容易に行える光コネクタ保留ユニットおよびそれを用いた光配線ユニットの提供を目的とする。【解決手段】実施形態の光コネクタ保留ユニット１は、どこにも光接続されていない接続待機状態の光ファイバ１０の先端の光コネクタ１１を保留する光コネクタ保留部材３０と、光ファイバ１０の光コネクタ１１が設けられている先端とは反対の基端から送入されて光ファイバ１０の先端から出射された可視光をその光軸Ｃ１に対して４５度以下の傾斜角度Ａを以て反射可能な反射部４０と、を備える。【選択図】図２
2018112596.tif 000002
【特許請求の範囲】
【請求項１】
どこにも光接続されていない接続待機状態の光ファイバの先端の光コネクタを保留する光コネクタ保留部材と、
前記光ファイバの前記光コネクタが設けられている先端とは反対の基端から送入されて前記光ファイバの先端から出射された可視光をその光軸に対して４５度以下の傾斜角度を以て反射可能な反射部、あるいは前記光ファイバの先端から出射された可視光をその光軸に対して４５度以下の傾斜角度の散乱光を含むように散乱させる散乱部と、
を備える光コネクタ保留ユニット。
【請求項２】
前記反射部あるいは前記散乱部が設けられる光路変更部支持部材を更に備え、
前記光コネクタ保留部材は、前記光路変更部支持部材に対し、前記光軸に交差する方向の中心軸線の回りに回動可能である請求項１に記載の光コネクタ保留ユニット。
【請求項３】
前記光コネクタ保留部材には、前記光ファイバの先端の前記光コネクタが嵌合されるコネクタ嵌合部が前記中心軸線に沿って複数配列されている請求項２に記載の光コネクタ保留ユニット。
【請求項４】
前記光コネクタ保留部材を複数有し、複数の前記光コネクタ保留部材はそれぞれの前記中心軸線が上下方向に間隔をあけて互いに平行に延在するように設けられている請求項２又は３に記載の光コネクタ保留ユニット。
【請求項５】
前記光コネクタ保留部材は、前記光ファイバの先端から出射された前記可視光を透過可能に形成され、かつ、前記光コネクタが嵌合されるコネクタ嵌合穴が形成された光透過コネクタ保留部材であり、
前記光透過コネクタ保留部材の内部あるいは裏面側であって前記光軸上には、前記反射部あるいは前記散乱部が設けられている請求項１から４の何れか一項に記載の光コネクタ保留ユニット。
【請求項６】
請求項１から５の何れか一項に記載の光コネクタ保留ユニットと、
前記光コネクタ保留ユニットに保留されていない光ファイバの先端の前記光コネクタが接続されるアダプタ配列部と、
を備える光配線ユニット。
【発明の詳細な説明】
【技術分野】
【０００１】
本発明は、光コネクタ保留ユニットおよび光配線ユニットに関する。
【背景技術】
【０００２】
従来の保留盤は、識別のためのレーザー光（以下「識別用レーザー光」という。）を確認するため、保留盤からすべての光コネクタを抜出し、光コネクタの端面を見て識別用レーザー光を確認する必要があった。
通常の光ファイバコード収容筐体などは、光コネクタを１００個以上実装しているものが多く、一つ一つ保留盤から光コネクタを取り出し、識別用レーザー光を確認する必要がある。識別用レーザー光を直視する危険性もあり、かつ、作業時間も膨大となる。
【０００３】
また、従来、多数の光ファイバの心線対照に関する技術として、例えば特許文献１、２に開示されたものがある。
特許文献１の図２（Ａ）に記載の光コネクタ２０は、コネクタ筐体内に、フェルール２２先端側に内挿固定された短尺光ファイバ２１ｂに光ファイバ心線２１を突き合わせ接続したファイバ接続部２７を収容し、コネクタ筐体に、ファイバ接続部２７からの漏洩光をコネクタ筐体外側に放光させる窓部２６を設けたものである。この光コネクタ２０は、光ファイバ心線２１に送入された可視光の一部をファイバ接続部２７からコネクタ筐体の窓部２６を介してコネクタ筐体外側へ放光させることができる。なお、この光コネクタ２０のフェルール２２は、透光性及び光散乱性の確保のために結晶化ガラス製のもの等を使用する。
特許文献２の図２（Ａ）に記載の光コネクタ２０は、フェルール２２に挿入されたガラスファイバ２１ａにスリット２７を設け、スリット２７から漏洩させた可視光を光コネクタ２０の外部に放光させるためにコネクタ筐体に窓部２６を設けたものである。この光コネクタ２０は、光ファイバ心線２１に送入された可視光の一部をスリット２７からコネクタ筐体の窓部２６を介してコネクタ筐体外側へ放光させることができる。この光コネクタ２０のフェルール２２も、透光性及び光散乱性の確保のために結晶化ガラス製のもの等を使用する。
【０００４】
特許文献１、２記載の技術では、光コネクタを光コネクタアダプタ（特許文献１、２では接続アダプタ）に接続した状態で、コネクタ筐体の窓部２６を介してコネクタ筐体外側へ放光させた可視光を利用して心線対照を行える。保留盤は光コネクタアダプタを光コネクタの保持に利用したものが多い。このため、特許文献１、２記載の光コネクタは、保留盤の光コネクタアダプタに保持させたままコネクタ筐体の窓部２６からの可視光を心線対照に利用できる。
【先行技術文献】
【特許文献】
【０００５】
【特許文献１】特開２００９−１７５６１２号公報
【特許文献２】特許第５００３９６９号公報
【発明の概要】
【発明が解決しようとする課題】
【０００６】
しかしながら、特許文献１、２の発明は、コネクタ筐体の窓部からコネクタ筐体外側へ放光させた光（可視光）が微弱で視認が難しい場合がある。このため、窓部からコネクタ筐体外側へ放光させた可視光の視認を心線対照に利用することが困難なケースも生じていた。
【０００７】
本発明はこのような事情を考慮してなされたもので、光コネクタから放光させる対照光の視認性を向上でき、心線対照を確実かつ容易に行える光コネクタ保留ユニットおよびそれを用いた光配線ユニットの提供を目的とする。
【課題を解決するための手段】
【０００８】
上記課題を解決するために、本発明の第１の態様は、どこにも光接続されていない接続待機状態の光ファイバの先端の光コネクタを保留する光コネクタ保留部材と、前記光ファイバの前記光コネクタが設けられている先端とは反対の基端から送入されて前記光ファイバの先端から出射された可視光をその光軸に対して４５度以下の傾斜角度を以て反射可能な反射部、あるいは前記光ファイバの先端から出射された可視光をその光軸に対して４５度以下の傾斜角度の散乱光を含むように散乱させる散乱部と、を備える光コネクタ保留ユニットである。
本発明の第２の態様は、前記反射部あるいは前記散乱部が設けられる光路変更部支持部材を更に備え、前記光コネクタ保留部材は、前記光路変更部支持部材に対し、前記光軸に交差する方向の中心軸線の回りに回動可能である請求項１に記載の光コネクタ保留ユニットである。
本発明の第３の態様は、前記光コネクタ保留部材には、前記光ファイバの先端の前記光コネクタが嵌合されるコネクタ嵌合部が前記中心軸線に沿って複数配列されている請求項２に記載の光コネクタ保留ユニットである。
本発明の第４の態様は、前記光コネクタ保留部材を複数有し、複数の前記光コネクタ保留部材はそれぞれの前記中心軸線が上下方向に間隔をあけて互いに平行に延在するように設けられている請求項２又は３に記載の光コネクタ保留ユニットである。
本発明の第５の態様は、前記光コネクタ保留部材は、前記光ファイバの先端から出射された前記可視光を透過可能に形成され、かつ、前記光コネクタが嵌合されるコネクタ嵌合穴が形成された光透過コネクタ保留部材であり、前記光透過コネクタ保留部材の内部あるいは裏面側であって前記光軸上には、前記反射部あるいは前記散乱部が設けられている請求項１から４の何れか一項に記載の光コネクタ保留ユニットである。
本発明の第６の態様は、請求項１から５の何れか一項に記載の光コネクタ保留ユニットと、前記光コネクタ保留ユニットに保留されていない光ファイバの先端の前記光コネクタが接続されるアダプタ配列部と、を備える光配線ユニットである。
【発明の効果】
【０００９】
本発明の一態様に係る光コネクタ保留ユニットおよび光配線ユニットによれば、光ファイバの基端から送入されて光ファイバの先端から出射された可視光を反射部にて反射させた反射光、あるいは散乱部にて散乱させた散乱光を心線対照に利用できる。光ファイバの先端からの出射光（可視光）は、特許文献１、２に記載の光コネクタのファイバ接続部からの漏洩光に比べて格段に多くの光量を確保できる。このため、本発明の一態様に係る光コネクタ保留ユニットおよび光配線ユニットは、特許文献１、２のようにファイバ接続部からの漏洩光をコネクタ筐体外側にて視認する構成と比較して、光コネクタから放光させる対照光の視認性を向上でき、心線対照を確実かつ容易に行うことができる。
【図面の簡単な説明】
【００１０】
【図１】実施形態に係る光コネクタ保留ユニットの斜視図である。
【図２】図１０のＩＩ−ＩＩ断面を含む図であり、実施形態に係る反射部の作用の説明図である。
【図３】実施形態に係る光コネクタ保留ユニットを用いて心線対照を行う手順を示すフローチャートである。
【図４】フロア間回線の一例を示す模式図である。
【図５】実施形態の第一変形例に係る光コネクタ保留ユニットの図２に相当する断面を含む図であり、散乱部の作用の説明図である。
【図６】実施形態の第二変形例に係る光コネクタ保留ユニットの側面図であり、散乱部の作用の説明図である。
【図７】実施形態の第三変形例に係る光コネクタ保留ユニットの要部側面図であり、反射部の作用の説明図である。
【図８】実施形態の第四変形例に係る光コネクタ保留ユニットの要部側面図であり、反射部の作用の説明図である。
【図９】実施形態の第五変形例に係る光コネクタ保留ユニットの側面図であり、散乱部の作用の説明図である。
【図１０】実施形態に係る光接続箱の模式図である。
【発明を実施するための形態】
【００１１】
以下、本発明の実施形態について図面を参照して説明する。なお、以下の説明では、発明を理解し易くするために、適宜構成部品の一部を省略したり、形状を単純化したり、縮尺を変更したりする等、図示を簡略化していることがある。また、ＸＹＺ直交座標系を設定して各構成の位置関係を説明する。ＸＹＺ直交座標系において、Ｘ方向を左右方向、Ｙ方向を前後方向、Ｚ方向を上下方向として説明する。
【００１２】
＜光コネクタ保留ユニット全体＞
図１は、実施形態に係る光コネクタ保留ユニット１を示す。
図１に示すように、光コネクタ保留ユニット１は、後述する光接続箱１００（図１０参照）の蓋部１５０に設けられている。光コネクタ保留ユニット１は、複数の光コネクタ保留部材３０と、複数の光コネクタ保留部材３０を回動可能に支持するブラケット５０と、可視光を反射する反射部４０と、光コネクタ保留部材３０をブラケット５０に対し中心軸線ＣＬの回りに手動回動操作するための回動部材６０と、を備える。実施形態において、ブラケット５０は、光コネクタ保留部材３０を水平方向（図１では左右方向）の中心軸線ＣＬの回りに回動可能に支持する。以下、中心軸線ＣＬを「回動軸線ＣＬ」あるいは「保留部材回動軸線ＣＬ」ともいう。
【００１３】
＜光コネクタ保留部材＞
実施形態において、光コネクタ保留ユニット１は、４つの光コネクタ保留部材３０を有する。４つの光コネクタ保留部材３０は、それぞれの回動軸線ＣＬが上下方向に間隔をあけて互いに平行に延在するように設けられている。
【００１４】
光コネクタ保留部材３０は、後述するファイバガイド部１３０（図１０参照）から延出された光ファイバ１０のうち、どこにも光接続（コネクタ接続）されていない接続待機状態の光ファイバ１０の先端の光コネクタ１１を保留する。以下、光コネクタ保留部材３０に保留された光コネクタ１１を「保留光コネクタ１１」、保留光コネクタ１１が先端に設けられた光ファイバ１０を「保留光ファイバ１０」ともいう。
【００１５】
実施形態において、光ファイバ１０は、単心光ファイバ心線が収容された単心光ファイバコードである。光ファイバ１０の先端のコネクタ１１は、例えば、ＳＣ形光コネクタ（ＪＩＳ  Ｃ  ５９７３に規定されるＦ０４形光コネクタの適合品、或いはＩＥＣ  ６１７５４‐４(又はＩＥＣ  ６１７５４‐１４)適合品）、ＭＵ形光コネクタ（ＪＩＳ  Ｃ  ５９８３に規定されるＦ１４形光コネクタの適合品、或いはＩＥＣ  ６１７５４−６適合品）などの単心用光コネクタが用いられる。
【００１６】
実施形態において、光コネクタ保留部材３０は、透明樹脂などの透明部材により形成されている。図２に示すように、光コネクタ保留部材３０には、保留光コネクタ１１を挿入嵌合可能なコネクタ嵌合穴３１ｈが形成されている。図２に示す光コネクタ保留部材３０のコネクタ嵌合穴３１ｈは、光コネクタ保留部材３０を貫通する貫通穴である。但し、コネクタ嵌合穴３１ｈは、光コネクタ保留部材３０を貫通する貫通穴に限定されず、コネクタ嵌合穴３１ｈ軸線方向において光コネクタ１１が挿脱されるコネクタ挿入口とは反対の側（以下「奥側」ともいう。）が塞がっている非貫通穴であっても良い。但し、非貫通穴の場合は、コネクタ嵌合穴の奥側が光透過性部材（例えば光コネクタ保留部材３０の一部）によって塞がれた構成を採用する。
【００１７】
また、光コネクタ保留部材３０には、コネクタ嵌合穴３１ｈ内に光コネクタ１１と係脱可能に係合する係止爪３１ａが設けられた構成のコネクタ嵌合部３１が保留部材回動軸線ＣＬに沿って複数配列形成されている。実施形態において、各光コネクタ保留部材３０には、１２個のコネクタ嵌合部３１が保留部材回動軸線ＣＬに沿って直線状に配列されている。なお、図２は、図１０のＩＩ−ＩＩ断面を含む図であるが、コネクタ嵌合部３１をＹＺ仮想平面で切断した断面を併せて図示している。
【００１８】
なお、本明細書において、光コネクタ保留部材について、コネクタ嵌合穴のコネクタ挿入口が開口されている側を表面側、表面側とは反対の側を裏面側として扱う。このことは、後述の光透過コネクタ保留部材についても同様である。
【００１９】
コネクタ嵌合部３１とコネクタ嵌合部３１に挿入嵌合される光コネクタ１１とは、光コネクタ１１とそれに適合する光コネクタアダプタとが構成するものと同様のスライドロック機構を構成する。光コネクタ１１はコネクタ嵌合部３１に対して挿脱可能である。
【００２０】
光コネクタ保留部材３０には、回動軸線ＣＬに沿う方向における両端（左右両端）から外方（上方）に向けて延出する左右一対の延出片３２（左延出片３２Ｌおよび右延出片３２Ｒ）が設けられている。左延出片３２Ｌは、複数のコネクタ嵌合部３１のうち左端に位置するコネクタ嵌合部３１の左側部と一体に設けられている。右延出片３２Ｒは、複数のコネクタ嵌合部３１のうち右端に位置するコネクタ嵌合部３１の右側部と一体に設けられている。左延出片３２Ｌには、その左側面から保留部材回動軸線ＣＬに沿って左方に突出する凸部３３が設けられている。図示はしないが、右延出片３２Ｒには、その厚み方向であって保留部材回動軸線ＣＬ上に開口する貫通孔が形成されている。
【００２１】
＜ブラケット＞
実施形態において、ブラケット５０は、ボルト等の締結部材７０によって蓋部１５０に固定される矩形板状の背壁部５１と、背壁部５１の左右両端部から蓋部１５０とは反対側へ突出された突壁部５２，５３（左壁部５２及び右壁部５３）とを有する。突壁部５２，５３は、背壁部５１から垂直に突出し、上下方向に延在する板状に形成されている。なお、実施形態のブラケット５０は、１枚の金属板を折り曲げて形成されている。
【００２２】
ブラケット５０のうち背壁部５１には、反射部４０が設けられている。実施形態において、背壁部５１は、反射部４０が設けられる光路変更部支持部材として機能する。
【００２３】
左壁部５２および右壁部５３のそれぞれには、その厚み方向であって保留部材回動軸線ＣＬ上に開口する貫通孔が複数形成されている。便宜上、図２においては、右壁部５３に形成された貫通孔５３ｈを図示している。実施形態において、左壁部５２および右壁部５３のそれぞれには、上下に間隔をあけて配置された４つの貫通孔が形成されている。図１に示すように、左壁部５２の各貫通孔（不図示）には、光コネクタ保留部材３０の左延出片３２Ｌから突出する凸部３３が回動可能に挿入されている。
【００２４】
左壁部５２は、光コネクタ保留部材３０の左延出片３２Ｌよりも左側に位置する。右壁部５３は、光コネクタ保留部材３０の右延出片３２Ｒよりも左側に位置する。図２に示すように、左壁部５２および右壁部５３には、複数の傾斜面が設けられている。便宜上、図２においては、右壁部５３に設けられた傾斜面５４ａ〜５４ｄを示している。実施形態において、左壁部５２および右壁部５３には、それぞれ４つの傾斜面５４ａ〜５４ｄが設けられている。具体的に、左壁部５２および右壁部５３には、下側ほど前方に位置するように傾斜する３つの前下方傾斜面５４ａ〜５４ｃと、下側ほど後方に位置するように傾斜する１つの後下方傾斜面５４ｄと、が設けられている。
【００２５】
図２の実線で示す初期状態において、各光コネクタ保留部材３０の一部は、各傾斜面５４ａ〜５４ｄにそれぞれ当接している。ここで、初期状態とは、光コネクタ保留部材３０をブラケット５０に対し回動軸線ＣＬの回りに回動する前の停止状態を意味する。
具体的に、４つの光コネクタ保留部材３０のうち、上から３つの光コネクタ保留部材３０の背面は右壁部５３における前下方傾斜面５４ａ〜５４ｃに当接し、上から４つ目（下から１つ目）の光コネクタ保留部材３０の上端は右壁部５３における後下方傾斜面５４ｄに当接している。これにより、図２の実線で示す初期状態において、各光コネクタ保留部材３０は、下側ほど前方に位置するように傾斜している。
【００２６】
＜回動部材＞
図１に示すように、実施形態において、回動部材６０は、光コネクタ保留部材３０の右延出片３２Ｒに設けられた摘みである。回動部材６０は、光コネクタ保留部材３０の右延出片３２Ｒに連結（具体的には、図示しない右延出片３２Ｒの貫通孔に嵌合）された円盤状の連結部６１と、連結部６１の左側面につながるとともに中心軸線ＣＬに沿って左方に延出し且つブラケット５０の右壁部５３の貫通孔５３ｈ（図２参照）に回動可能に挿入された左軸部６２と、連結部６１の右側面につながるとともに中心軸線ＣＬに沿って右方に延出する右軸部６３と、右軸部６３の右端につながるとともに右軸部６３よりも拡径する拡径部６４と、を備える。このような構成により、回動部材６０を手動で操作することによって、光コネクタ保留部材３０を、ブラケット５０に対し、中心軸線ＣＬの回りに回動させることができる。
【００２７】
＜反射部＞
実施形態において、反射部４０は、アルミニウム、銀などの金属材料を蒸着などによってブラケット５０の背壁部５１の前面全体に成膜された反射膜である。なお、反射部４０は、背壁部５１の前面に貼付された反射シートであってもよい。また、反射部４０は、ブラケット５０の背壁部５１の前面（金属板表面）を鏡面研磨した反射面であってもよい。
【００２８】
図２に示すように、反射部４０は、光ファイバ１０の光コネクタ１１が設けられている先端とは反対の基端から送入された光ファイバ１０の先端から出射された可視光（波長４００ｎｍ〜７５０ｎｍ）を反射できる。光コネクタ保留部材３０のコネクタ嵌合部３１に嵌合された光コネクタ１１は、ブラケット５０に対する光コネクタ保留部材３０の回動に伴い背壁部５１前面に対する傾斜角度が変わる。また、ブラケット５０に対する光コネクタ保留部材３０の回動に伴い、コネクタ嵌合部３１に嵌合された光コネクタ１１に設けられている光ファイバ１０先端からの出射光の反射部４０に対する入射角度も変わる。
【００２９】
光コネクタ保留ユニット１は、光コネクタ保留部材３０をブラケット５０に対して回動させて、光コネクタ１１に設けられている光ファイバ１０先端からの出射光（以下「光コネクタ１１先端からの出射光」ともいう。）の反射部４０に対する入射角度を変更することにより、光ファイバ１０先端からの出射光を反射部４０にて背壁部５１前面側（以下「ユニット前面側」ともいう。）へ反射させ、ユニット前面側に居る作業者による視認を容易にすることができる。
【００３０】
ユニット前面側に居る作業者が、光コネクタ１１先端からの出射光を反射部４０にて反射させた光を容易に視認するには、反射部４０にて、光コネクタ１１先端からの出射光をその光軸Ｃ１に対して４５度以下の傾斜角度Ａを以て反射することが好適である。背壁部５１の反射部４０は、光コネクタ１１先端からの出射光をその光軸Ｃ１に対して４５度以下の傾斜角度Ａを以て反射可能である。また、ユニット前面側に居る作業者が、反射部４０にて光コネクタ１１先端からの出射光を反射させた光（反射光）を視認するには、反射部４０からの反射光が光コネクタ保留部材３０のコネクタ嵌合部３１に嵌合された光コネクタ１１に衝突することを回避する必要がある。
【００３１】
光コネクタ保留ユニット１は、光コネクタ保留部材３０をブラケット５０に対して回動させることにより、光コネクタ１１先端からの出射光をその光軸Ｃ１に対して４５度以下の傾斜角度Ａを以て反射部４０にて反射でき、かつ反射部４０からの反射光が光コネクタ保留部材３０に嵌合された光コネクタ１１を回避できるように、光コネクタ１１先端からの出射光の反射部４０に対する入射角を調整できる。
【００３２】
実施形態において、可視光は赤色光である。例えば、赤色光としては、波長６３５ｎｍ〜６９０ｎｍの赤色レーザー光を用いる。なお、中心軸線ＣＬは、光軸Ｃ１に交差する方向に延在している。実施形態において、中心軸線ＣＬは、光軸Ｃ１に直交する方向（左右方向）に延在している。
【００３３】
図２の二点鎖線で示す回動状態において、上から４つ目（下から１つ目）の光コネクタ保留部材３０の上端は、後下方傾斜面５４ｄから離間している。ここで、回動状態とは、光コネクタ保留部材３０をブラケット５０に対し回動軸線ＣＬの回りに回動した後の停止状態を意味する。図２の二点鎖線で示す回動状態において、上から４つ目（下から１つ目）の光コネクタ保留部材３０は、水平方向に対してやや前下方に傾斜するよう、ブラケット５０に対し回動軸線ＣＬの回りに回動した状態とされている。
【００３４】
図２の二点鎖線で示す回動状態において、反射部４０は、光ファイバの先端から出射された可視光を、その光軸Ｃ１に対して４５度以下の傾斜角度Ａを以て反射している。図２において、光コネクタ保留部材３０は水平方向に対してやや前下方に傾斜しているため、光ファイバ１０の先端から出射された可視光を反射部４０にて反射させた反射光は、光コネクタ１１の先端側上端をわずかに避けるよう、水平方向に対してやや前上方に傾斜する。これにより、観察者は、光ファイバ１０の先端から出射されて反射部４０にて反射された反射光を容易に視認することができる。なお、図２において、光ファイバ１０の先端から出射されて反射部４０にて反射された反射光の光軸を符号Ｃ２で示す。
【００３５】
ところで、光コネクタ保留部材３０の姿勢（傾斜姿勢）によっては、光ファイバ１０の先端から出射されて反射部４０にて反射された反射光が他の光コネクタ保留部材３０で遮られてしまい、前記反射光を容易に視認することができない場合がある。この場合、他の光コネクタ保留部材３０を、ブラケット５０に対し回動軸線ＣＬの回りに回動させるとよい。
【００３６】
図２の例では、上から３つ目（下から２つ目）の光コネクタ保留部材３０を、水平方向に対しやや前下方に傾斜するよう、ブラケット５０に対し回動軸線ＣＬの回りに回動した状態を二点鎖線で示している。これにより、上から４つ目（下から１つ目）の光コネクタ保留部材３０に保留された光コネクタ１１における光ファイバ１０の先端から出射されて反射部４０にて反射された反射光が、上から３つ目（下から２つ目）の光コネクタ保留部材３０で遮られることはないため、前記反射光を容易に視認することができる。
【００３７】
＜心線対照を行う手順＞
以下、図３および図４を参照して、実施形態に係る光コネクタ保留ユニット１を用いて心線対照を行う手順の一例を説明する。
まず、フロア間回線に光を入射する（図３に示すステップＳ１）。
図４に示すように、２階のフロアＦ２には、赤色レーザー光源８０を把持した作業者８１（以下「２階側作業者８１」という。）が待機している。２階側作業者８１は、赤色レーザー光源８０を用いて光ファイバ１０の基端側（具体的には、光ファイバ１０の基端に光接続した光ファイバ２１の基端、図１０参照）から赤色光（可視光）を送入する。光ファイバ１０の基端から送入された赤色光は、１階のフロアＦ１に載置された光コネクタ保留ユニット１に向けて延びる光ファイバ１０の先端から出射される。
【００３８】
１階のフロアＦ１には、光コネクタ保留ユニット１の手前に作業者８３（以下「１階側作業者８３」という。）が待機している。１階側作業者８３は、光ファイバ１０の先端から出射される赤色光を確認する。
まず、図１に示すように、ブラケット５０に対し、光コネクタ保留部材３０を回動する（図３に示すステップＳ２）。例えば、摘み６０を保留部材回動軸線ＣＬの回りに回動させる。これにより、光コネクタ保留部材３０を、水平方向に対しやや前下方に傾斜した状態とする（図２参照）。
【００３９】
次に、反射光を確認する（図３に示すステップＳ３）。具体的に、１階側作業者８３は、光ファイバ１０の先端から出射されて反射部４０にて反射された反射光を確認する。上述のように、光コネクタ保留部材３０を、水平方向に対しやや前下方に傾斜した状態とすることによって、前記反射光を容易に視認することができる。
【００４０】
そして、運用回線に接続する（図３に示すステップＳ４）。例えば、１階側作業者８３は、前記反射光を確認した光ファイバ１０の先端の光コネクタ１１を、後述するアダプタ配列部１１０（図１０参照）の光コネクタアダプタ１１１に挿入、嵌合する。これにより、光ファイバ１０の先端の光コネクタ１１は、光コネクタアダプタ１１１内にて別の光ファイバ（不図示）とコネクタ接続（光接続）される。
【００４１】
以上説明したように、上記実施形態の光コネクタ保留ユニット１は、どこにも光接続されていない接続待機状態の光ファイバ１０の先端の光コネクタ１１を保留する光コネクタ保留部材３０と、光ファイバ１０の光コネクタ１１が設けられている先端とは反対の基端から送入されて光ファイバ１０の先端から出射された可視光をその光軸Ｃ１に対して４５度以下の傾斜角度Ａを以て反射可能な反射部４０と、を備える。
【００４２】
この構成によれば、光ファイバ１０の基端から送入されて光ファイバ１０の先端から出射された可視光を反射部４０にて反射させた反射光を心線対照に利用できる。光ファイバ１０の先端からの出射光（可視光）は、特許文献１、２に記載の光コネクタのファイバ接続部からの漏洩光に比べて格段に多くの光量を確保できる。このため、本発明の一態様に係る光コネクタ保留ユニット１は、特許文献１、２のようにファイバ接続部からの漏洩光をコネクタ筐体外側にて視認する構成と比較して、光コネクタ１１から放光させる対照光の視認性を向上でき、心線対照を確実かつ容易に行うことができる。
【００４３】
また、反射部４０が設けられるブラケット５０（具体的には、ブラケット５０における背壁部５１）を更に備え、光コネクタ保留部材３０は、ブラケット５０に対し、光軸Ｃ１に直交する方向の回動軸線ＣＬの回りに回動可能である。これにより、光ファイバ１０の先端から出射された可視光を反射部４０にて反射させた反射光が光コネクタ１１によって遮られないよう、光コネクタ保留部材３０を所望の姿勢に回動させることができる。したがって、光コネクタ１１から放光させる対照光の視認性をより一層向上でき、心線対照をより確実かつより容易に行うことができる。
【００４４】
また、光コネクタ保留部材３０には、光ファイバ１０の先端の光コネクタ１１が嵌合されるコネクタ嵌合部３１が保留部材回動軸線ＣＬに沿って複数配列されている。これにより、複数のコネクタ嵌合部３１が上下幅内に収まるよう集約されるため、光コネクタ保留部材３０の上下長さをコンパクト化することができる。加えて、複数（実施形態では１２個）のコネクタ嵌合部３１を前方から容易に視認することができる。加えて、光コネクタ保留部材３０をブラケット５０に対し回動軸線ＣＬの回りに回動させることで、複数のコネクタ嵌合部３１をまとめて回動させることができるため、心線対照の作業性をより一層向上することができる。加えて、心線対照を行う際には、光コネクタ保留部材３０における複数のコネクタ嵌合部３１を予め空の状態にしておき、その後、光ファイバ１０の先端の光コネクタ１１を所定のコネクタ嵌合部３１に嵌合することで、光コネクタ１１から放光される対照光を容易に視認することができるため、対照光の視認性をより一層向上でき、心線対照をより確実かつより容易に行うことができる。
【００４５】
また、光コネクタ保留部材３０を複数有し、複数の光コネクタ保留部材３０はそれぞれの回動軸線ＣＬが上下方向に間隔をあけて互いに平行に延在するように設けられている。これにより、上下長さがコンパクト化された複数の光コネクタ保留部材３０が左右幅内に収まるよう集約されるため、光コネクタ保留ユニット１の上下幅及び左右幅をコンパクト化することができる。加えて、複数（実施形態では１２個×４列）のコネクタ嵌合部３１を前方から容易に視認することができる。
【００４６】
なお、本実施形態では、光コネクタ保留部材３０が透明樹脂などの透明部材により形成されている例を挙げて説明したが、これに限らない。例えば、光コネクタ保留部材３０は黒色樹脂などの遮光部材により形成された遮光コネクタ保留部材であってもよい。この場合であっても、光ファイバ１０の先端から出射された可視光を反射部４０にて反射させた反射光が光コネクタ保留部材１１によって遮られないよう、遮光コネクタ保留部材を所望の姿勢に回動させることができるため、光コネクタ１１から放光させる対照光の視認性を向上でき、心線対照を確実かつ容易に行うことができる。
【００４７】
＜第一変形例＞
以下、第一変形例について説明する。
上記実施形態では、光ファイバ１０の先端から出射された可視光をその光軸Ｃ１に対して４５度以下の傾斜角度Ａを以て反射可能な反射部４０を備えた例を挙げて説明したが、これに限らない。
以下の図５において、上記実施形態と同一の構成には同一の符号を付し、詳細な説明は省略する。
図５に示すように、光コネクタ保留ユニット２０１は、光ファイバ１０の先端から出射された可視光をその光軸Ｃ１に対して４５度以下の傾斜角度Ａの散乱光を含むように散乱させる散乱部２４０を備えていてもよい。
【００４８】
本変形例において、散乱部２４０は、背壁部５１の前面に貼付された光拡散シートである。本変形例において、背壁部５１は、散乱部２４０が設けられる光路変更部支持部材として機能する。なお、散乱部２４０は、背壁部５１の前面に微細な凹凸を付して形成された凹凸構造であってもよい。
【００４９】
図５の二点鎖線で示す回動状態において、上から４つ目（下から１つ目）の光コネクタ保留部材３０は、水平方向に対してやや前下方に傾斜するよう、ブラケット５０に対し回動軸線ＣＬの回りに回動した状態とされている。
【００５０】
図５の二点鎖線で示す回動状態において、散乱部２４０は、光ファイバ１０の先端から出射された可視光を、その光軸Ｃ１に対して４５度以下の傾斜角度Ａの散乱光を含むように散乱している。図５において、光コネクタ保留部材３０は水平方向に対してやや前下方に傾斜しているため、光ファイバ１０の先端から出射された可視光を散乱部２４０にて散乱させた散乱光は、光コネクタ１１の先端（具体的には、先端側上端および先端側下端）をわずかに避けるよう、水平方向に対してやや前上方およびやや前下方に傾斜する。これにより、観察者は、光ファイバ１０の先端から出射されて散乱部２４０にて散乱された散乱光を容易に視認することができる。なお、図２において、光ファイバ１０の先端から出射されて散乱部２４０にて散乱された散乱光の光軸の一つを符号Ｃ３で示す。
【００５１】
ところで、光コネクタ保留部材３０の姿勢（傾斜姿勢）によっては、光ファイバ１０の先端から出射されて散乱部２４０にて散乱された散乱光が他の光コネクタ保留部材３０で遮られてしまい、前記散乱光を容易に視認することができない場合がある。この場合、他の光コネクタ保留部材３０を、ブラケット５０に対し回動軸線ＣＬの回りに回動させるとよい。
【００５２】
図５の例では、上から３つ目（下から２つ目）の光コネクタ保留部材３０を、水平方向に対してやや前下方に傾斜するよう、ブラケット５０に対し回動軸線ＣＬの回りに回動した状態を二点鎖線で示している。これにより、上から４つ目（下から１つ目）の光コネクタ保留部材３０に保留された光コネクタ１１における光ファイバ１０の先端から出射されて散乱部２４０にて散乱された散乱光が、上から３つ目（下から２つ目）の光コネクタ保留部材３０で遮られることはないため、前記散乱光を容易に視認することができる。
【００５３】
本変形例の光コネクタ保留ユニット２０１は、光ファイバ１０の先端から出射された可視光をその光軸Ｃ１に対して４５度以下の傾斜角度Ａの散乱光を含むように散乱させる散乱部２４０を備える。
【００５４】
この構成によれば、光ファイバ１０の基端から送入されて光ファイバ１０の先端から出射された可視光を散乱部２４０にて散乱させた散乱光を心線対照に利用できる。光ファイバ１０の先端からの出射光（可視光）は、特許文献１、２に記載の光コネクタのファイバ接続部からの漏洩光に比べて格段に多くの光量を確保できる。このため、本発明の一態様に係る光コネクタ保留ユニット２０１は、特許文献１、２のようにファイバ接続部からの漏洩光をコネクタ筐体外側にて視認する構成と比較して、光コネクタ１１から放光させる対照光の視認性を向上でき、心線対照を確実かつ容易に行うことができる。
【００５５】
＜第二変形例＞
以下、第二変形例について説明する。
上記実施形態では、光コネクタ保留部材３０がブラケット５０に対し回動軸線ＣＬの回りに回動可能である例を挙げて説明したが、これに限らない。
以下の図６において、上記実施形態と同一の構成には同一の符号を付し、詳細な説明は省略する。
図６に示すように、光コネクタ保留部材３３０は、光ファイバ１０の先端から出射された可視光を透過可能に形成され、かつ、光コネクタ１１が嵌合されるコネクタ嵌合穴３３１が形成された光透過コネクタ保留部材であってもよい。
【００５６】
本変形例において、光透過コネクタ保留部材３３０は、透明樹脂などの透明部材により形成されている。本変形例において、光透過コネクタ保留部材３３０には、４つのコネクタ嵌合穴３３１が形成されている。４つのコネクタ嵌合穴３３１は、それぞれの長軸が上下方向に間隔をあけて互いに平行に延在するように設けられている。コネクタ嵌合穴３３１の内部には、上述のコネクタ嵌合部３１と同様、光コネクタ１１と係脱可能に係合する係止爪（不図示）が設けられている。
【００５７】
光透過コネクタ保留部材３３０の裏面側であって光軸Ｃ１上には、散乱部３４０が設けられている。例えば、散乱部３４０は、背壁部５１の前面に貼付された光拡散シートである。本変形例において、背壁部５１は、散乱部３４０が設けられる光路変更部支持部材として機能する。なお、散乱部３４０は、背壁部５１の前面に微細な凹凸を付して形成された凹凸構造であってもよい。
【００５８】
本変形例の光コネクタ保留部材３３０は、光ファイバ１０の先端から出射された可視光を透過可能に形成され、かつ、光コネクタ１１が嵌合されるコネクタ嵌合穴３３１が形成された光透過コネクタ保留部材であり、光透過コネクタ保留部材３３０の裏面側であって光軸Ｃ１上には、散乱部３４０が設けられている。
【００５９】
この構成によれば、光ファイバ１０の基端から送入されて光ファイバ１０の先端から出射された可視光を散乱部３４０にて散乱させた散乱光のうち、光透過コネクタ保留部材３３０を透過した透過光を視認することができるため、前記透過光を心線対照に利用できる。加えて、光コネクタ保留部材３０を所望の姿勢に回動させる構成（図２参照）と比較して、回動動作の手間がかからないため、前記透過光を容易に視認することができる。したがって、光コネクタ１１から放光させる対照光の視認性を向上でき、心線対照を確実かつより一層容易に行うことができる。加えて、散乱部３４０を少なくとも光軸Ｃ１上に設ければ足りるため、背壁部５１の前面全体に散乱部を設けた場合と比較して、散乱部３４０の設置面積を削減することができ、低コスト化を図ることができる。
【００６０】
＜第三変形例＞
以下、第三変形例について説明する。
上記第二変形例では、光透過コネクタ保留部材３３０の裏面側であって光軸Ｃ１上には散乱部３４０が設けられている例を挙げて説明したが、これに限らない。
以下の図７において、上記実施形態と同一の構成には同一の符号を付し、詳細な説明は省略する。
図７に示すように、光透過コネクタ保留部材４３０の裏面側であって光軸Ｃ１上には、反射部４４０が設けられていてもよい。
【００６１】
例えば、反射部４４０は、光透過コネクタ保留部材４３０の裏面側に設けられた金属膜である。具体的に、光透過コネクタ保留部材４３０の裏面には、可視光を透過可能に形成された透明基板４４１が設けられている。例えば、透明基板４４１は、ガラス板あるいは透明樹脂板である。反射部４４０としての金属膜は、透明基板４４１の裏面に蒸着等により成膜されている。本変形例において、透明基板４４１は、反射部４４０が設けられる光路変更部支持部材として機能する。なお、反射部４４０は、透明基板４４１の裏面に貼付された反射シートであってもよいし、透明基板４４１の裏面に鏡面研磨された前面（鏡面研磨面）が貼付された金属板であってもよい。
【００６２】
本変形例において、コネクタ嵌合穴４３１は、長軸が前下方に緩やかに傾斜するように設けられている。具体的に、コネクタ嵌合穴４３１は、前側ほど下方に位置するように水平方向に対して緩やかに傾斜している。
【００６３】
本変形例の光コネクタ保留部材４３０は、光ファイバ１０の先端から出射された可視光を透過可能に形成され、かつ、光コネクタ１１が嵌合されるコネクタ嵌合穴４３１が形成された光透過コネクタ保留部材であり、光透過コネクタ保留部材４３０の裏面側であって光軸Ｃ１上には、反射部４４０が設けられている。
【００６４】
この構成によれば、光ファイバ１０の基端から送入されて光ファイバ１０の先端から出射された可視光を反射部４４０にて反射させた反射光のうち、光透過コネクタ保留部材４３０を透過した透過光を視認することができるため、前記透過光を心線対照に利用できる。加えて、光コネクタ保留部材３０を所望の姿勢に回動させる構成（図２参照）と比較して、回動動作の手間がかからないため、前記透過光を容易に視認することができる。したがって、光コネクタ１１から放光させる対照光の視認性を向上でき、心線対照を確実かつより一層容易に行うことができる。加えて、反射部４４０を少なくとも光軸Ｃ１上に設ければ足りるため、背壁部５１の前面全体に反射部を設けた場合と比較して、反射部４４０の設置面積を削減することができ、低コスト化を図ることができる。
【００６５】
＜第四変形例＞
以下、第四変形例について説明する。
上記第三変形例では、反射部４４０が、光透過コネクタ保留部材４３０の裏面側に設けられ、かつ、前面が鏡面研磨された金属板である例を挙げて説明したが、これに限らない。
以下の図８において、上記実施形態と同一の構成には同一の符号を付し、詳細な説明は省略する。なお、本変形例のコネクタ嵌合穴５３１は、第二変形例のコネクタ嵌合穴３３１と同一の構成を有するため、詳細な説明は省略する。
図８に示すように、反射部５４０は、光透過コネクタ保留部材５３０の内部であって光軸Ｃ１上に設けられていてもよい。
【００６６】
例えば、反射部５４０は、光透過コネクタ保留部材５３０の内部であって光軸Ｃ１上に設けられ、かつ、前面が鏡面研磨された金属板である。具体的に、光透過コネクタ保留部材５３０の裏面には、前下方に傾斜する傾斜面５４１ａを有する凹部５４１が形成されている。反射部５４０の鏡面研磨面（前面）は、凹部５４１の傾斜面５４１ａに貼付されている。本変形例において、凹部５４１の傾斜面５４１ａは、反射５４０が設けられる光路変更部支持部材として機能する。なお、反射部５４０は、凹部５４１の傾斜面５４１ａに貼付された反射シートであってもよい。
【００６７】
本変形例の光コネクタ保留部材５３０は、光ファイバ１０の先端から出射された可視光を透過可能に形成され、かつ、光コネクタ１１が嵌合されるコネクタ嵌合穴５３１が形成された光透過コネクタ保留部材であり、光透過コネクタ保留部材５３０の内部であって光軸Ｃ１上には、反射部５４０が設けられている。
【００６８】
この構成によれば、光ファイバ１０の基端から送入されて光ファイバ１０の先端から出射された可視光を反射部５４０にて反射させた反射光のうち、光透過コネクタ保留部材５３０を透過した透過光を視認することができるため、前記透過光を心線対照に利用できる。加えて、光コネクタ保留部材３０を所望の姿勢に回動させる構成（図２参照）と比較して、回動動作の手間がかからないため、前記透過光を容易に視認することができる。したがって、光コネクタ１１から放光させる対照光の視認性を向上でき、心線対照を確実かつより一層容易に行うことができる。加えて、反射部５４０を少なくとも光軸Ｃ１上に設ければ足りるため、光透過コネクタ保留部材５３０の裏面全体に反射部を設けた場合と比較して、反射部５４０の設置面積を削減することができ、低コスト化を図ることができる。加えて、反射部４４０を光透過コネクタ保留部材４３０の裏面側に設けた構成（図７参照）と比較して、透明基板４４１などの反射部４４０の支持基材を必要としない。さらに、反射部５４０の設置スペースとして、光透過コネクタ保留部材５３０の裏面であって光軸Ｃ１上に凹部５４１を局所的に形成すれば足りる。したがって、反射部４４０を光透過コネクタ保留部材４３０の裏面側に設けた構成（図７参照）と比較して、光コネクタ保留ユニットの前後幅をコンパクト化しつつ、低コスト化を図ることができる。
【００６９】
＜第五変形例＞
以下、第五変形例について説明する。
上記第二変形例では、光透過コネクタ保留部材３３０の裏面側であって光軸Ｃ１上には散乱部３４０が設けられている例を挙げて説明したが、これに限らない。
以下の図９において、上記実施形態と同一の構成には同一の符号を付し、詳細な説明は省略する。なお、本変形例のコネクタ嵌合穴６３１は、第二変形例のコネクタ嵌合穴３３１と同一の構成を有するため、詳細な説明は省略する。
図９に示すように、光透過コネクタ保留部材６３０の内部であって光軸Ｃ１上には、散乱部６４０が設けられていてもよい。
【００７０】
図９に示す光透過コネクタ保留部材６３０のコネクタ嵌合穴６３１は、光透過コネクタ保留部材６３０裏面側（奥側）が光透過コネクタ保留部材６３０の一部によって塞がれた非貫通穴である。光透過コネクタ保留部材６３０においてコネクタ嵌合穴６３１の奥側に位置する壁部を、以下「奥壁部６３２」ともいう。
【００７１】
例えば、散乱部６４０は、光透過コネクタ保留部材６３０の奥壁部６３２において光を散乱させるための複数の粒子が混入分散された部分（領域）である。散乱部６４０は、光透過コネクタ保留部材６３０の内部であって光軸Ｃ１上に設けられている。すなわち、散乱部６４０は、光透過コネクタ保留部材６３０のうちコネクタ嵌合穴６３１の奥壁部６３２に設けられている。奥壁部６３２において、散乱部６４０は、光軸Ｃ１上、すなわち、コネクタ嵌合穴６３１に挿入嵌合された光コネクタ１１の光ファイバ１０先端からの出射光光軸Ｃ１が散乱部６４０を貫通する位置に形成されている。図９において、散乱部６４０は、その中央部を光軸Ｃ１が貫通する位置に形成されている。
【００７２】
前記複数の粒子は、コネクタ嵌合穴６３１の奥壁部６３２に均一に分散されている。本変形例において、コネクタ嵌合穴６３１の奥壁部６３２は、散乱部６４０が設けられる光路変更部支持部材として機能する。
【００７３】
本変形例の光コネクタ保留部材６３０は、光ファイバ１０の先端から出射された可視光を透過可能に形成され、かつ、光コネクタ１１が嵌合されるコネクタ嵌合穴６３１が形成された光透過コネクタ保留部材であり、光透過コネクタ保留部材６３０の内部であって光軸Ｃ１上には、散乱部６４０が設けられている。
【００７４】
この構成によれば、光ファイバ１０の基端から送入されて光ファイバ１０の先端から出射された可視光を散乱部６４０にて散乱させた散乱光のうち、光透過コネクタ保留部材６３０を透過した透過光を視認することができるため、前記透過光を心線対照に利用できる。加えて、光コネクタ保留部材３０を所望の姿勢に回動させる構成（図２参照）と比較して、回動動作を行うことなく前記透過光を視認することができ、心線対照を容易に行うことができる。本変形例の散乱部６４０は、光透過コネクタ保留部材６３０の複数のコネクタ嵌合穴６３１のそれぞれに対応して設けられている。また、本変形例では、光透過コネクタ保留部材６３０の裏面側に散乱部を設けた場合と比較して、散乱部の位置をコネクタ嵌合穴６３１に挿入嵌合された光コネクタ１１に接近させることができる。このため、本変形例では、散乱部６４０からの散乱光の発生を視認することで、散乱光を発生した散乱部６４０に出射光を照射した光ファイバ１０（あるいは、この光ファイバ１０先端に設けられた光コネクタ１１）を簡単に特定でき、心線対照を容易に行なうことができる。加えて、本変形例では、散乱部６４０のうち、光コネクタ１１の光ファイバ１０先端からの出射光の光路上に位置する部分全体から散乱光が発せられることで、光ファイバ１０先端からの出射光の光路を視覚的に把握することも可能である。したがって、散乱部６４０からの散乱光によって光ファイバ１０先端からの出射光の光路を視認することでも心線対照を行える。
本発明の実施形態に係る光コネクタ保留ユニットは、図２の実施形態の光コネクタ保留部材１３０の表面側に開口するコネクタ嵌合穴３１ｈを、その奥側に設けた散乱部によって塞いだ非貫通穴とした構成も採用可能である。この構成の場合、コネクタ嵌合穴３１ｈに挿入嵌合された光コネクタ１１が設けられた光ファイバ１１先端からの出射光が散乱部にて散乱された散乱光の一部又は全部が透光性の光コネクタ保留部材からユニット前側へ放射されるようにする。これにより、ユニット前側に居る作業者は、光コネクタ保留部材の散乱部からの散乱光を視認することで、光コネクタ保留部材を回動しなくても心線対照を行える。
【００７５】
＜光配線ユニット全体＞
図１０は、光配線ユニットの一例として、実施形態に係る光コネクタ保留ユニット１を備えた光接続箱１００を示す。図１０に示すように、光接続箱１００は、光コネクタ保留にユニット１と、光コネクタアダプタ１１１が複数配列設置されたアダプタ配列部１１０と、左右一対のガイド柱１３１を有するファイバガイド部１３０と、これらを収容する筐体１４０と、筐体１４０の前方を開閉可能とする蓋部１５０と、を有する。図１０においては、筐体１４０の前方が開いている状態を示している。
【００７６】
＜筐体＞
筐体１４０は、前方を開放する矩形箱状をなしている。筐体１４０は、アダプタ配列部１１０およびファイバガイド部１３０が設けられる矩形状の背板１４１と、背板１４１の外周端につながるとともに矩形枠状をなす枠状部１４２と、を備える。
【００７７】
枠状部１４２は、左右に長手を有し上下に厚みを有する板状をなし且つ背板１４１の上端につながる上板１４３と、上板１４３と同形状をなし背板１４１の下端につながる下板１４４と、上下に長手を有し左右に厚みを有する板状をなし且つ背板１４１の左端につながる左板１４５と、左板１４５と同形状をなし背板１４１の右端につながる右板１４６と、を備える。
【００７８】
下板１４４には、光ファイバケーブル２０が挿通される複数のケーブル挿通孔１４４ａが形成されている。下板１４４には、光ファイバケーブル２０から引き出された光ファイバ２１（以下「ケーブル側光ファイバ２１」という。）と、単心光ファイバ心線が収容された単心光ファイバコードである光ファイバ１０と、を互いに接続（光接続）した接続部を収容するトレイ１６０が載置されている。
【００７９】
＜蓋部＞
蓋部１５０は、枠状部１４２の外形よりもやや小さい矩形板状をなしている。蓋部１５０は、上下一対のヒンジ部１５１を介して枠状部１４２に連結されている。蓋部１５０には、実施形態に係る光コネクタ保留ユニット１が設けられている。
【００８０】
＜アダプタ配列部＞
アダプタ配列部１１０は、背板１４１の上部かつ左寄りに配置されている。アダプタ配列部１１０の光コネクタアダプタ１１１には、ファイバガイド部１３０から延出された光ファイバ１０の先端に設けられた光コネクタ１１が挿脱可能に嵌合される。整線部材１から延出された光ファイバ１０は、その先端の光コネクタ１１をアダプタ配列部１１０の光コネクタアダプタ１１１に挿入、嵌合することで、光コネクタアダプタ１１１内にて別の光ファイバ（不図示）とコネクタ接続（光接続）される。実施形態において、光コネクタアダプタ１１１は、光コネクタ１１と係脱可能に係合する係止爪（不図示）を内部に有する筒状部材である。
【００８１】
ファイバガイド部１３０から延出された光ファイバ１０のうち、アダプタ配列部１１０の光コネクタアダプタ１１１にて別の光ファイバ（不図示、通信用光ファイバ）とコネクタ接続（光接続）された光ファイバ１０を、以下「運用光ファイバ１０」ともいう。
【００８２】
＜光コネクタ保留ユニット＞
光コネクタ保留ユニット１は、蓋部１５０の上部かつ左寄りに配置されている。光コネクタ保留部材３０は、アダプタ配列部１１０と実質的に同じ高さに配置されている。
【００８３】
＜ファイバガイド部＞
ファイバガイド部１３０は、前後に長軸を有する円柱状をなす左右一対のガイド柱１３１（左側のガイド柱１３１Ｌおよび右側のガイド柱１３１Ｒ）を備えている。すなわち、左右一対のガイド柱１３１は、背板１４１に連結されるとともに、背板１４１から前方に向けて延出している。実施形態において、左右一対のガイド柱１３１は、光ファイバ１０を湾曲させた状態で支持可能とされている。
【００８４】
実施形態において、左側のガイド柱１３１Ｌに支持された光ファイバ１０は、アダプタ配列部１１０に向かう。すなわち、左側のガイド柱１３１Ｌに支持された光ファイバ１０は、運用光ファイバ１０として機能する。
一方、右側のガイド柱１３１Ｒに支持された光ファイバ１０は、光コネクタ保留ユニット１に向かう。すなわち、右側のガイド柱１３１Ｒに支持された光ファイバ１０は、保留光ファイバ１０として機能する。
図においては、左側のガイド柱１３１Ｌには３本の光ファイバ１０が支持され、右側のガイド柱１３１Ｒには１本の光ファイバ１０が収容されている様子を示している。
【００８５】
以上説明したように、上記実施形態の光接続箱１００は、光コネクタ保留ユニット１と、ファイバガイド部１３０から延出する運用光ファイバ１０の先端の光コネクタ１１が接続されるアダプタ配列部１１０と、を備えることで、光コネクタ１１から放光させる対照光の視認性を向上でき、心線対照を確実かつ容易に行うことができる。
【００８６】
なお、光接続箱１００は、光成端箱の他、クロージャ等も採用可能である。
また、上記実施形態では、光配線ユニットが光接続箱１００である例を挙げて説明したが、これに限らない。例えば、光配線ユニットは光配線盤等の光ファイバ配線用架体であってもよい。
【００８７】
また、上記実施形態では、アダプタ配列部１１０にて運用光ファイバ１０の先端の光コネクタ１１が通信用光ファイバとコネクタ接続される例を挙げて説明したが、これに限らない。例えば、ファイバガイド部１３０から延出された光ファイバ１０がアダプタ配列部１１０にて光線路試験装置から試験光が送入される光ファイバとコネクタ接続される構成であってもよい。
【符号の説明】
【００８８】
１，２０１…光コネクタ保留ユニット、１０…運用光ファイバ、保留光ファイバ（光ファイバ）、１１…光コネクタ、３０…光コネクタ保留部材、３１…コネクタ嵌合部、４０，４４０，５４０…反射部、５１…背壁部（光路変更部支持部材）、１００…光接続箱（光配線ユニット）、１１０…アダプタ配列部、２４０，３４０，６４０…散乱部、３３０，４３０，５３０，６３０…光透過コネクタ保留部材、３３１，４３１，５３１，６３１…コネクタ嵌合穴、４４１…透明基板（光路変更部支持部材）、５４１ａ…傾斜面（光路変更部支持部材）、６３２…コネクタ嵌合穴の奥壁部（光路変更部支持部材）、Ｃ１…光軸、ＣＬ…中心軸線
【図１】
2018112596.tif 000003
【図２】
2018112596.tif 000004
【図３】
2018112596.tif 000005
【図４】
2018112596.tif 000006
【図５】
2018112596.tif 000007
【図６】
2018112596.tif 000008
【図７】
2018112596.tif 000009
【図８】
2018112596.tif 000010
【図９】
2018112596.tif 000011
【図１０】
2018112596.tif 000012